(57)【特許請求の範囲】
【請求項１】
通信網に接続可能な基地局に無線接続して通信する移動通信端末において、
表示情報と位置情報を対応づけて記憶する記憶手段と、
前記発信側の識別情報に対応づけて付加情報を記憶する付加情報記憶手段と、
前記基地局を通じて通知される発信側の通信端末の識別情報と位置情報を受信可能な受信手段と、
前記表示情報と前記識別情報を表示可能な表示手段と、
前記受信手段にて受信した発信側の位置情報と前記記憶手段に記憶される位置情報との差が予め設定した許容値以下の場合に、前記表示手段に前記表示情報と前記識別情報を表示させる表示制御手段と、
前記受信手段にて受信した発信側の識別情報が、前記付加情報記憶手段において付加情報が対応づけられている場合に、前記表示情報の表示とともに、前記付加情報を出力する出力手段とを具備することを特徴とする移動通信端末。
【請求項２】
通信網に接続可能な基地局に無線接続して通信する移動通信端末において、
表示情報と位置情報を対応づけた複数の情報を記憶する記憶手段と、
前記発信側の識別情報に対応づけて付加情報を記憶する付加情報記憶手段と、
前記基地局を通じて通知される発信側の通信端末の識別情報と位置情報を受信可能な受信手段と、
前記表示情報と前記識別情報を表示可能な表示手段と、
前記記憶手段に記憶される位置情報のうち、前記受信手段にて受信した発信側の位置情報に最も近い位置情報に対応づけられた表示情報を、前記受信手段にて受信した識別情報とともに前記表示手段に表示させる表示制御手段と、
前記受信手段にて受信した発信側の識別情報が、前記付加情報記憶手段において付加情報が対応づけられている場合に、前記表示情報の表示とともに、前記付加情報を出力する出力手段とを具備することを特徴とする移動通信端末。
【請求項３】
前記表示制御手段は、前記記憶手段に記憶される位置情報のうち、前記受信手段にて受信した発信側の位置情報に最も近い位置情報を求め、この最も近い位置情報と前記受信手段にて受信した発信側の位置情報との差が予め設定した許容値以下の場合に、前記表示手段に前記表示情報と前記識別情報を表示させることを特徴とする請求項２に記載の移動通信端末。
【請求項４】
前記記憶手段は、前記発信側の通信端末の識別情報毎に、表示情報と位置情報を対応づけて記憶し、
前記表示制御手段は、前記記憶手段に記憶される表示情報のうち、前記受信手段にて受信した識別情報に対応する表示情報を表示するように前記表示手段を制御することを特徴とする請求項１乃至請求項３のいずれかに記載の移動通信端末。
【請求項５】
無線接続可能な基地局から、この基地局に予め設定された位置情報を取得する位置情報取得手段と、
この位置情報取得手段にて取得した位置情報を、表示情報に対応づけて、前記記憶手段に記録する記録制御手段とを備えることを特徴とする請求項１乃至請求項３のいずれかに記載の移動通信端末。
【請求項６】
無線接続可能な基地局から、この基地局に予め設定された位置情報を取得する位置情報取得手段と、
この位置情報取得手段にて取得した位置情報を、他の移動通信端末に送信する送信手段とを備えることを特徴とする請求項１乃至請求項３のいずれかに記載の移動通信端末。
【請求項７】
前記表示情報を入力する入力手段を備え、
前記送信手段は、前記位置情報取得手段にて取得した位置情報と前記入力手段にて入力された表示情報とを対応づけて、他の移動通信端末に送信することを特徴とする請求項６に記載の移動通信端末。
【請求項８】
前記表示情報を入力する入力手段と、
他の移動通信端末から位置情報を取得する位置情報取得手段と、
この位置情報取得手段にて取得した位置情報を、前記入力手段にて入力された表示情報に対応づけて、前記記憶手段に記録する記録制御手段とを備えることを特徴とする請求項１乃至請求項３のいずれかに記載の移動通信端末。
【請求項９】
他の移動通信端末から位置情報と表示情報を取得する情報取得手段と、
この情報取得手段にて取得した位置情報と表示情報を、前記記憶手段に記録する記録制御手段とを備えることを特徴とする請求項１乃至請求項３のいずれかに記載の移動通信端末。
【請求項１０】
ユーザの要求に応じて、前記表示制御手段で用いる許容値の値を設定する許容値設定手段を備えることを特徴とする請求項１または請求項３に記載の移動通信端末。
【請求項１１】
ユーザの要求に応じて、前記記憶手段に記憶される表示情報を設定する表示情報設定手段を備えることを特徴とする請求項１乃至請求項３のいずれかに記載の移動通信端末。
【発明の詳細な説明】
【０００１】
【発明の属する技術分野】
この発明は、通信相手の位置情報を取得可能な、例えば携帯電話システムやＰＨＳ（Personal Handyphone System）などの移動通信システムに用いられる移動通信端末に関する。
【０００２】
【従来の技術】
周知のように、従来の移動通信システムでは、着信側の移動通信端末において、発信側の移動通信端末が存在する位置を知ることはできないため、発信側のユーザが口頭や、文字情報を送信するなどして着信側のユーザに伝えるしかなす術がなかった。
【０００３】
ところで、近時、当該発明者らによって、移動通信端末が基地局から位置情報を取得するシステムの開発が進められている。
このシステムでは、各基地局の位置情報を基地局ＩＤや、あるいは基地局の存在する位置の緯度・経度などの情報で管理し、このような情報ではユーザにはわかりにくいため、上記情報に地名や番地を対応づけた地図情報データベースを移動通信網側に備える。
【０００４】
そして、発信時に発信側の移動通信端末が接続される基地局の上記情報に対応する地名や番地を、上記地図情報データベースより検索して求め、検出した地名や番地を着信側の端末に通知するようにしている。
【０００５】
しかしながら、従来の移動通信システムでは、発信側の移動通信端末が存在する位置が地名や番地で報知されることにより、着信側でその位置は特定できるものの、ユーザにとっては必ずしも理解しやすい情報ではなく、利便性が低いという問題があった。
【０００６】
【発明が解決しようとする課題】
従来の移動通信端末では、発信側の移動通信端末が存在する位置が地名や番地で報知されることにより、着信側でその位置は特定できるものの、通知される側のユーザにとっては必ずしも理解しやすい情報ではなく、利便性が低いという問題があった。
【０００７】
この発明は上記の問題を解決すべくなされたもので、発信側の移動通信端末が存在する位置を容易に理解して特定することが可能な移動通信端末を提供することを目的とする。
【０００８】
【課題を解決するための手段】
上記の目的を達成するために、請求項１に係わる本発明は、通信網に接続可能な基地局に無線接続して通信する移動通信端末において、表示情報と位置情報を対応づけて記憶する記憶手段と、発信側の識別情報に対応づけて付加情報を記憶する付加情報記憶手段と、基地局を通じて通知される発信側の通信端末の識別情報と位置情報を受信可能な受信手段と、表示情報と識別情報を表示可能な表示手段と、受信手段にて受信した発信側の位置情報と記憶手段に記憶される位置情報との差が予め設定した許容値以下の場合に、表示手段に表示情報と識別情報を表示させる表示制御手段と、受信手段にて受信した発信側の識別情報が、付加情報記憶手段において付加情報が対応づけられている場合に、表示情報の表示とともに、付加情報を出力する出力手段とを具備して構成するようにした。
【０００９】
上記構成の移動通信端末では、予め記憶手段に表示情報と位置情報を対応づけて記憶するとともに、発信側の識別情報に対応づけて付加情報を記憶しておき、受信手段にて受信した発信側の位置情報と記憶手段に記憶される位置情報との差が予め設定した許容値以下の場合に、表示手段に表示情報と識別情報を表示させるとともに、発信側の識別情報に対応づけられている付加情報を出力するようにしている。
【００１０】
したがって、上記構成の移動通信端末によれば、基地局から受信した発信者の位置情報が緯度・経度情報のような直感的に分かりづらい情報であっても、これに予め対応づけた、ユーザがわかりやすい表示情報に変換して表示することができ、またこれに合わせて付加情報も出力できるので、発信側の移動通信端末が存在する位置を容易に理解して特定することができる。
【００１１】
また、上記目的を達成するために、請求項２に係わる本発明は、通信網に接続可能な基地局に無線接続して通信する移動通信端末において、表示情報と位置情報を対応づけた複数の情報を記憶する記憶手段と、発信側の識別情報に対応づけて付加情報を記憶する付加情報記憶手段と、基地局を通じて通知される発信側の通信端末の識別情報と位置情報を受信可能な受信手段と、表示情報と識別情報を表示可能な表示手段と、記憶手段に記憶される位置情報のうち、受信手段にて受信した発信側の位置情報に最も近い位置情報に対応づけられた表示情報を、受信手段にて受信した識別情報とともに表示手段に表示させる表示制御手段と、受信手段にて受信した発信側の識別情報が、付加情報記憶手段において付加情報が対応づけられている場合に、表示情報の表示とともに、付加情報を出力する出力手段とを具備して構成するようにした。
【００１２】
上記構成の移動通信端末では、予め記憶手段に表示情報と位置情報を対応づけて記憶するとともに、発信側の識別情報に対応づけて付加情報を記憶しておき、この記憶される位置情報のうち、受信手段にて受信した発信側の位置情報に最も近い位置情報に対応づけられた表示情報を、受信手段にて受信した識別情報とともに表示手段に表示させ、また発信側の識別情報に対応づけられている付加情報を出力するようにしている。
【００１３】
したがって、上記構成の移動通信端末によれば、基地局から受信した発信者の位置情報が緯度・経度情報のような直感的に分かりづらい情報であっても、これに予め対応づけた、ユーザがわかりやすい表示情報に変換して表示することができ、またこれに合わせて付加情報も出力できるので、発信側の移動通信端末が存在する位置を容易に理解して特定することができる。
【００１４】
【発明の実施の形態】
以下、図面を参照して、この発明の一実施形態に係わる通信端末について説明する。図１は、その構成を示すもので、ここでは、ＣＤＭＡ方式を通信方式とする移動無線端末装置を例に挙げている。
【００１５】
空間からアンテナ１で受信された無線周波信号は、アンテナ共用器２に入力される。アンテナ共用器２は、受信用フィルタ２１と送信用フィルタ２２とからなる。
【００１６】
アンテナ１より入力された無線周波信号のうち、図示しない基地局から送信された帯域の無線周波信号は、受信用フィルタ２１を通過して、受信部（ＲＸ）３に出力される。なお、この無線周波信号は送信用フィルタ２２により、後述の送信部（ＴＸ）５に入力されることはない。
【００１７】
受信部３では、上記無線周波信号を周波数シンセサイザ（ＳＹＮ）４から入力された受信局部発振信号とミキシングして中間周波信号に周波数変換する。なお、上記周波数シンセサイザ４にて発生される受信局部発振信号の周波数は、制御部４０からの制御電圧によって制御される。
【００１８】
受信部３にて得られた中間周波信号は、ＣＤＭＡ信号処理部６において、直交復調処理が施されたのち、逆拡散処理が施されて、データレートに応じた所定のフォーマットのデータに変換される。
【００１９】
そしてこの変換結果のうち、音声通信に関わる受信音声データについては音声符号処理部７に出力し、データレートを示すデータについては受信データレートとして、制御部４０に出力される。
【００２０】
また上記変換結果のうち、着信時に通知される発信者番号データおよび発信者の位置情報データ、そして自己が接続している基地局が信号に付加した基地局の位置情報（緯度・経度情報）データについては、制御部４０に出力される。
【００２１】
音声符号処理部７は、上記ＣＤＭＡ信号処理部６にて得られた受信データに対して、制御部４０から通知される受信データレートに応じた伸長処理を施し、この処理結果をＰＣＭ符号処理部８に出力する。
【００２２】
ＰＣＭ符号処理部８は、音声符号処理部７にて伸張された受信データを復号してアナログ受話信号を得る。このアナログ受話信号は、増幅器９にて増幅された後スピーカ１０より拡声出力される。
【００２３】
一方、話者の入力音声は、マイクロホン１１を通じてアナログ送話信号として入力され、増幅器１２で適正レベルまで増幅された後、ＰＣＭ符号処理部８にてＰＣＭ符号化処理が施され、送信音声データとして音声符号処理部７に出力される。
【００２４】
音声符号処理部７は、ＰＣＭ符号処理部８から出力される送信音声データに、自己の位置情報データを加え、送信データを形成する。そして、上記送信音声データから入力音声のエネルギー量を検出し、この検出結果に基づいてデータレートを決定し、制御部４０に通知する。そして、上記送信データを上記データレートに応じたフォーマットのバースト信号に圧縮し、ＣＤＭＡ信号処理部６に出力する。
【００２５】
ＣＤＭＡ信号処理部６は、上記音声符号処理部７にて圧縮されたバースト信号に対して、送信チャネルに応じたＰＮ符号を用いて拡散処理を施す。そしてこの処理結果に対して、直交変調処理を施し、直交変調信号として送信部５に出力する。
【００２６】
送信部５は、上記直交変調信号を送信局部発振信号と合成して無線周波信号に変換し、制御部４０により通知される送信データレートに基づいて、上記無線周波信号の有効部分だけを高周波増幅して、アンテナ共用器２に出力する。なお上記送信局部発振信号は、周波数シンセサイザ４にて生成されるもので、制御部４０からの制御電圧に応じた周波数の発振信号である。
【００２７】
アンテナ共用器２に入力された送信部５からの無線周波信号は、送信用フィルタ２２により、送信帯域の無線周波信号のみがアンテナ１に出力されて、上記基地局に向けて空間に放射される。尚、この送信帯域の無線周波信号は、受信用フィルタ２１により、受信部３に入力されることはない。
３１は電源回路であり、バッテリ３０の出力を基に所定の動作電源電圧Ｖccを生成して各回路に供給する。
【００２８】
制御部４０は、例えばマイクロコンピュータを主制御部とし、各部を統括して制御している。その制御内容としては、図示しない基地局と通信リンクを開設して通信を行なう通常の通信制御機能がある。
【００２９】
また制御部４０は、新たな制御機能として、位置表示情報設定制御手段４０ａと、位置表示情報記録制御手段４０ｂ、位置表示情報表示制御手段４０ｃとを備える。
【００３０】
位置表示情報設定制御手段４０ａは、通信相手の端末装置に設定する位置表示情報を作成する制御や、この作成した位置表示情報を通信相手に送信して設定するための制御を行うものである。
【００３１】
なお、上記位置表示情報は、ユーザがわかりやすい表示内容（例えば、「○○駅」や「会社」など）からなる表示データＶと、基準となる位置を示す参照用位置情報Ｒと、同じ位置として許容する許容量Ａとからなる。
【００３２】
位置表示情報記録制御手段４０ｂは、通信相手毎に対応づけた位置表示情報を後述する記憶部４１に記録したり、その記録内容の設定を変更したりする制御を行うものである。
【００３３】
位置表示情報表示制御手段４０ｃは、通信相手から着信時に通知される発信者番号と位置情報に基づいて、記憶部４１に記憶される情報を参照し、通信相手の位置をわかりやすい情報に変換表示して、ユーザに発信者の位置を報知する制御を行うもである。
【００３４】
記憶部４１は、例えばＲＯＭやＲＡＭなどの半導体メモリを記憶媒体としたもので、この記憶媒体には制御部４０の制御プログラムや制御データや、名前と電話番号を対応づけた電話帳データや、発着信履歴に関わるデータを記憶する他に、設定情報記憶エリア４１ａと、位置表示情報記憶エリア４１ｂを有する。
【００３５】
設定情報記憶エリア４１ａは、上記位置表示情報設定制御手段４０ａにて作成された位置表示情報を記憶する記憶エリアである。
位置表示情報記憶エリア４１ｂは、図２に示すように、位置表示情報および付加情報を通信相手の電話番号（発信者番号）毎に対応づけて記憶する記憶エリアである。
【００３６】
コンソールユニット４２にはダイヤルキー、発信キー、電源キー、終了キー、音量調節キーおよびモード指定キーなどのキー群と、通話相手端末の電話番号や装置の動作状態などを表示するためのＬＣＤ表示器、メロディデータを再生出力可能なサウンダ、そしてバッテリ３０のDischarge 状態を示す（バッテリ３０の充電を要求する）ＬＥＤランプが設けられている。
【００３７】
また、図示はしていないが、この移動無線端末装置を移動通信システムのネットワークに接続する基地局は、自局の位置情報（緯度・経度情報）を、接続している移動局に対して報知する機能を備えている。
【００３８】
次に、上記構成の移動無線端末装置の動作について説明する。
まず、発信側の端末装置として用い、着信側の端末装置に対して位置表示情報を設定する場合の動作について説明する。図３は、この動作時に行われる処理を示すフローチャートで、この処理は、位置表示情報設定制御手段４０ａによってなされる。
【００３９】
ユーザがコンソールユニット４２を操作して、要求を行うと、これを検出した位置表示情報設定制御手段４０ａは、まずステップ３ａにて、周辺の通信可能な基地局を検出し、この検出した基地局から放送される位置情報を受信し、ステップ３ｂに移行する。
【００４０】
ステップ３ｂでは、位置表示情報設定制御手段４０ａは、コンソールユニット４２を通じて、ユーザから表示データＶのテキスト入力と、対応づけて設定する許容量Ａ（単位は［秒］）の入力を受け付ける。
【００４１】
また、必要に応じて、ユーザから付加情報として、画像データや、テキストデータ、着信メロディの楽譜データなどを受け付ける。
なお、ここで許容量Ａは、位置情報が緯度・経度情報であることより単位を［秒］としているが、メートル単位で入力を受け付け、秒の単位に変換するようにしてもよい。
【００４２】
ステップ３ｃでは、位置表示情報設定制御手段４０ａは、ステップ３ａで取得した位置情報を参照用位置情報Ｒとし、これに、ステップ３ｂにて受け付けた表示データＶおよび許容量Ａを対応づけて（付加情報がある場合は、それも加える）、１つの位置表示情報として、設定情報記憶エリア４１ａに記録する。その後、設定した相手の端末装置に発信して、設定情報記憶エリア４１ａに記録した位置表示情報を送信し、当該処理を終了する。
【００４３】
次に、着信側の端末装置として用い、発信側の端末装置が図３に示した処理により位置表示情報を送信してきた場合の動作について説明する。図４は、この動作時に行われる処理を示すフローチャートで、この処理は、位置表示情報記録制御手段４０ｂによってなされる。
【００４４】
上記発信側の端末装置の着信に応答する操作をユーザがコンソールユニット４２を操作して行うと、これを検出した位置表示情報記録制御手段４０ｂは、まずステップ４ａにて、上記発信側の端末装置から位置表示情報の受信し、ステップ４ｂに移行する。
【００４５】
ステップ４ｂでは、位置表示情報記録制御手段４０ｂは、着信時に通知された発信者番号に対応づけて、ステップ４ａにて受信した位置表示情報を位置表示情報記憶エリア４１ｂに記録し、当該処理を終了する。
【００４６】
次に、着信側の端末装置として用い、位置表示情報記録制御手段４０ｂに記録される情報を新規登録・編集する場合の動作について説明する。図５は、この動作時に行われる処理を示すフローチャートで、この処理は、位置表示情報記録制御手段４０ｂによってなされる。
【００４７】
ユーザがコンソールユニット４２を操作して、上記処理の開始要求を行うと、これを検出した位置表示情報記録制御手段４０ｂは、まずステップ５ａにて、ユーザに対して、新規の位置表示情報の登録か、あるいはすでに登録されている情報を編集するのかを、コンソールユニット４２のＬＣＤ表示器に表示して問う。
【００４８】
ここで、コンソールユニット４２を通じて、新規登録の指示があった場合には、ステップ５ｂに移行し、一方、編集の要求があった場合にはステップ５ｅに移行する。
【００４９】
ステップ５ｂでは、位置表示情報記録制御手段４０ｂは、周辺の通信可能な基地局を検出し、この検出した基地局から放送される位置情報を受信し、ステップ５ｃに移行する。
【００５０】
ステップ５ｃでは、位置表示情報記録制御手段４０ｂは、新しい位置表示情報を作成するために、コンソールユニット４２を通じて、ユーザから通信相手の電話番号、許容量Ａおよび表示データＶの入力を受け付け、ステップ５ｄに移行する。また、ここでは必要に応じて、ユーザから付加情報として、画像データや、テキストデータ、着信メロディの楽譜データなどを受け付ける。
【００５１】
ステップ５ｄでは、位置表示情報記録制御手段４０ｂは、ステップ５ｂで取得した位置情報を参照用位置情報Ｒとし、これにステップ５ｃで受け付けた情報を対応づけて、位置表示情報記憶エリア４１ｂに記録し、当該処理を終了する。
【００５２】
一方、ステップ５ｅでは、位置表示情報記録制御手段４０ｂは、位置表示情報記憶エリア４１ｂに記憶される情報を読み出して、コンソールユニット４２のＬＣＤ表示器に表示し、コンソールユニット４２を通じて、ユーザから編集の対象となる位置表示情報の指定を受け付け、ステップ５ｆに移行する。
【００５３】
ステップ５ｆでは、位置表示情報記録制御手段４０ｂは、ステップ５ｅにて指定しされた位置表示情報のみをコンソールユニット４２のＬＣＤ表示器に表示し、ユーザからコンソールユニット４２を通じて修正指示を受け付け、ステップ５ｇに移行する。
なお、ここでの修正指示としては、対応させる電話番号、参照用位置情報Ｒ、許容量Ａ、表示データＶおよび付加情報の訂正である。
【００５４】
ステップ５ｇでは、位置表示情報記録制御手段４０ｂは、ステップ５ｆにて訂正された位置表示情報を、位置表示情報記憶エリア４１ｂ上の対応する情報に代わって位置表示情報記憶エリア４１ｂに記録し、当該処理を終了する。
【００５５】
次に、着信が生じた場合の動作について説明する。図６は、この着信時に行われる処理を示すフローチャートで、この処理は、位置表示情報表示制御手段４０ｃと、制御部４０の通常の制御機能によって司られる。
【００５６】
まず、着信が生じると、これを検出した位置表示情報表示制御手段４０ｃは、ステップ６ａにて、接続している基地局から発信者番号とそれに併せて、発信側の端末装置が接続している基地局より通知される位置情報を受信し、ステップ６ｂに移行する。
【００５７】
ステップ６ｂでは、位置表示情報表示制御手段４０ｃは、ステップ６ａで通知された発信者番号に対応づけられた位置表示情報が位置表示情報記憶エリア４１ｂに存在するか否かを判定する。ここで、対応するデータが存在する場合には、ステップ６ｃに移行し、一方、対応するデータが存在しない場合には、ステップ６ｈに移行する。
【００５８】
ステップ６ｃでは、位置表示情報表示制御手段４０ｃは、ステップ６ａで通知された発信者番号に対応づけられた位置表示情報のうち、ステップ６ａで受信した位置情報に最も近い参照用位置情報Ｒを有するものを検出し、ステップ６ｄに移行する。
【００５９】
ステップ６ｄでは、位置表示情報表示制御手段４０ｃは、ステップ６ｃで検出した位置表示情報の参照用位置情報Ｒと、ステップ６ａで受信した位置情報の差を求める。
【００６０】
そして、位置表示情報表示制御手段４０ｃは、上記差が、ステップ６ｃで検出した位置表示情報の許容量Ａ以下であるか否かを判定する。ここで、上記差が許容量Ａ以下の場合には、ステップ６ｅに移行し、一方、上記差が許容量Ａを越える場合には、ステップ６ｈに移行する。
【００６１】
ステップ６ｅでは、位置表示情報表示制御手段４０ｃは、ステップ６ｃで検出した位置表示情報の表示データＶをコンソールユニット４２のＬＣＤ表示器に表示し、ステップ６ｆに移行する。
【００６２】
ステップ６ｆでは、位置表示情報表示制御手段４０ｃは、ステップ６ａで通知された発信者番号に対応づけられた付加情報が存在するか否かを判定する。ここで、付加情報が存在する場合には、ステップ６ｇに移行し、一方、付加情報が存在しない場合には、ステップ６ｈに移行する。
【００６３】
ステップ６ｇでは、位置表示情報表示制御手段４０ｃは、ステップ６ａで通知された発信者番号に対応づけられた付加情報の出力を行い、ステップ６ｈに移行する。
【００６４】
なおここで、位置表示情報表示制御手段４０ｃは、付加情報が画像データやテキストデータの場合には、コンソールユニット４２のＬＣＤ表示器に表示することにより出力し、着信メロディの楽譜データの場合には、コンソールユニット４２のサウンダを駆動制御して着信メロディの拡声出力を行う。
【００６５】
ステップ６ｈでは、制御部４０がコンソールユニット４２のキーを監視して、ユーザが着信に応答するか否かを判定する。ここで、ユーザが着信に応答する操作がなされた場合には、ステップ６ｉに移行し、一方、着信に応答する操作がなされない場合にはステップ６ｊに移行する。
【００６６】
ステップ６ｉでは、制御部４０が通常の制御機能として通話制御を実施し、これを回線が断されると当該処理を終了する。
一方、ステップ６ｊでは、制御部４０が基地局からの着信信号が到来しなくなったか否かを監視する。ここで、着信信号が受信できる場合には、再びステップ６ｈに移行し、一方、着信信号が受信できなくなった場合には、当該処理を終了する。
【００６７】
以上のように、上記構成の移動無線端末装置では、発信者の電話番号に対応づけて、位置表示情報として、位置を示す表示データＶと、この表示の基準の位置を示す参照用位置情報Ｒと、その許容量Ａを記憶しておく。そして、通知される電話番号に対応する位置表示情報のうち、通知された発信者の位置情報に最も近い参照用位置情報Ｒを有するものを検出し、この参照用位置情報Ｒと通知された位置情報との差が許容値Ａ以下の場合に、表示データＶを表示して着信を報知するようにしている。
【００６８】
したがって、上記構成の移動無線端末装置によれば、網側から通知される発信者の位置情報が緯度・経度情報のような直感的に分かりづらい情報であっても、これに予め対応づけた、ユーザがわかりやすい位置情報に変換して報知することができ、発信側の移動通信端末が存在する位置を容易に理解して特定することができる。
【００６９】
そして、発信者毎に位置表示情報を設定するようにしているので、大量の位置表示情報を登録しても、発信者番号に基づいて表示するデータの検索が迅速に行え、位置情報を表示するまでの時間が短くてすむ。
【００７０】
また、着信側に登録する位置表示情報は、着信側において基地局から受信した基地局の位置情報を参照用位置情報Ｒとして用いて作成することができるため、設定しにくい緯度・経度情報も、容易に設定することができる。
【００７１】
そしてまた、着信側に登録する位置表示情報は、発信側において基地局から受信した基地局の位置情報を参照用位置情報Ｒとして用いて作成して、着信側に送信して設定することができるため、着信側が登録したい場所まで赴く必要がなく、そして設定しにくい緯度・経度情報も、容易に設定することができる。
【００７２】
さらに、位置表示情報毎に、許容値Ａを設定することができるので、例えば大きな駅については、東口と西口を区別するために許容値Ａを小さく設定し、出口を区別する必要のない小さな駅については、許容値Ａを比較的大きく設定することができ、必要に応じて位置情報としての精度を高めることができる。
【００７３】
また、発信者番号に対応づけて、付加情報を記憶しておき、着信時にその情報を併せて出力することも可能としている。
さらに、ユーザがわかりやすい位置情報の報知は、着信に応答する前に行われるので、着信側のユーザは発信者の位置に応じて、着信に応答しなくても発信側のユーザの要求を推定することができる。
【００７４】
尚、この発明は上記実施の形態に限定されるものではない。
例えば、上記実施の形態では、着信側に通知される位置情報は、網が発信側の端末装置が接続している基地局の識別情報を基にして、網が通知を行う場合を前提に説明したが、これに代わり例えば、網から発信側の端末装置が自己の位置情報を取得して、着信側に送信するような構成であってもよい。
【００７５】
また、上記実施の形態では、着信時について説明したが、着信時に限らず、通信が開始された後に、発信側の端末装置の位置情報が通知される場合にも適用可能であることはいうまでもない。この場合でも、同様の効果が得られる。
【００７６】
そして、上記実施の形態では、１つの電話番号に複数の位置表示情報を対応づける場合を例に説明したが、もちろん対応づける位置表示情報は１つだけであってもよい。
【００７７】
この場合には、位置表示情報が１つだけであることより、登録される１つの情報が常に最も近い位置情報となる。しかしながら、登録されている情報の位置から遠い場所から着信があっても、許容値Ａが設定されていることにより、誤った表示をしてしまうことを防止できる。
その他、この発明の要旨を逸脱しない範囲で種々の変形を施しても同様に実施可能であることはいうまでもない。
【００７８】
【発明の効果】
以上述べたように、この発明では、予め記憶手段に表示情報と位置情報を対応づけて記憶するとともに、発信側の識別情報に対応づけて付加情報を記憶しておき、受信手段にて受信した発信側の位置情報と記憶手段に記憶される位置情報との差が予め設定した許容値以下の場合に、表示手段に表示情報と識別情報を表示させるとともに、発信側の識別情報に対応づけられている付加情報を出力するようにしている。
【００７９】
したがって、この発明によれば、基地局から受信した発信者の位置情報が緯度・経度情報のような直感的に分かりづらい情報であっても、これに予め対応づけた、ユーザがわかりやすい表示情報に変換して表示することができ、またこれに合わせて付加情報も出力できるので、発信側の移動通信端末が存在する位置を容易に理解して特定することが可能な移動通信端末を提供できる。
【００８０】
また、この発明では、予め記憶手段に表示情報と位置情報を対応づけて記憶するとともに、発信側の識別情報に対応づけて付加情報を記憶しておき、この記憶される位置情報のうち、受信手段にて受信した発信側の位置情報に最も近い位置情報に対応づけられた表示情報を、受信手段にて受信した識別情報とともに表示手段に表示させ、また発信側の識別情報に対応づけられている付加情報を出力するようにしている。
【００８１】
したがって、この発明によれば、基地局から受信した発信者の位置情報が緯度・経度情報のような直感的に分かりづらい情報であっても、これに予め対応づけた、ユーザがわかりやすい表示情報に変換して表示することができ、またこれに合わせて付加情報も出力できるので、発信側の移動通信端末が存在する位置を容易に理解して特定することが可能な移動通信端末を提供できる。
【図面の簡単な説明】
【図１】この発明に係わる移動通信端末の一実施形態の構成を示す回路ブロック図。
【図２】図１に示した移動通信端末の位置表示情報記憶エリアに記憶される情報を示す図。
【図３】図１に示した移動通信端末を発信側端末として用い、着信側の端末装置に対して位置表示情報を設定する動作を説明するためのフローチャート。
【図４】図１に示した移動通信端末を着信側端末として用い、発信側の端末装置から受信した位置表示情報を登録する動作を説明するためのフローチャート。
【図５】図１に示した移動通信端末を着信側の端末装置として用い、位置表示情報記録制御手段に記録される情報を新規登録・編集する動作を説明するためのフローチャート。
【図６】図１に示した移動通信端末の着信時の動作を説明するためのフローチャート。
【符号の説明】
１…アンテナ
２…アンテナ共用器
２１…受信用フィルタ
２２…送信用フィルタ
３…受信部（ＲＸ）
４…周波数シンセサイザ（ＳＹＮ）
５…送信部（ＴＸ）
６…ＣＤＭＡ信号処理部
７…音声符号処理部
８…ＰＣＭ符号処理部
９…増幅器
１０…スピーカ
１１…マイクロホン
１２…増幅器
３０…バッテリ
３１…電源回路
４０…制御部
４０ａ…位置表示情報設定制御手段
４０ｂ…位置表示情報記録制御手段
４０ｃ…位置表示情報表示制御手段
４１…記憶部
４１ａ…設定情報記憶エリア
４１ｂ…位置表示情報記憶エリア
４２…コンソールユニット（ＣＵ）
【図１】
0004980512.tif 000002
【図２】
0004980512.tif 000003
【図３】
0004980512.tif 000004
【図４】
0004980512.tif 000005
【図５】
0004980512.tif 000006
【図６】
0004980512.tif 000007